(57)【要約】【課題】金属製のカバー部材と樹脂製の受け部材との組み合わせによって、パネル端部をより強固に挟持、固定できる、カバー部材と受け部材とよりなるパネル端部納め用部材およびパネル端部納まり構造を提供する。【解決手段】カバー部材２０は建築用パネル１０の端部１１の上面を隠す庇部２１ａ、２１ａを備える一方、受け部材４０はカバー部材２０の脚部２３と係合する本体部４１と、本体部４１の下端より、本体部４１の幅方向外方に延びた、下地材２に固着される取付基板部４４、４４とを備えており、カバー部材２０の庇部２１ａと受け部材４０の取付基板部４４との間に、建築用パネルの端部１１を挟持して収納するパネル端部収納空間５ａを有した構造とされ、取付基板部４４、４４には、パネル端部収納空間５ａ側に突出する山型突起４４ａ、４４ａが屈曲形成されている。【選択図】図１
2010121421.tif 000002
【特許請求の範囲】
【請求項１】
建築用パネルの端部に沿って配設され、下地材に固着される樹脂製の受け部材と、該受け部材に係合する脚部を備えた金属製のカバー部材とを組み合わせてなるパネル端部納め用部材において、
上記カバー部材は上記建築用パネルの端部の上面を隠す庇部を備える一方、上記受け部材は上記カバー部材の脚部と係合する本体部と、該本体部の下端より、該本体部の幅方向外方に延びた、上記下地材に固着される取付基板部とを備えており、上記カバー部材の庇部と上記受け部材の取付基板部との間に、上記建築用パネルの端部を挟持して収納するパネル端部収納空間を有した構造とされ、
上記取付基板部には、上記パネル端部収納空間側に突出する山型突起が屈曲形成されていることを特徴とするパネル端部納め用部材。
【請求項２】
請求項１において、
上記山型突起は、上記受け部材の取付基板部の開放端部に形成されているパネル端部納め用部材。
【請求項３】
請求項１または２において、
上記カバー部材と上記受け部材とは、上記建築用パネル間の目地形成材として配設される構成とされ、
上記カバー部材の庇部および上記受け部材の取付基板部はそれぞれ、上記目地形成材の幅方向両側に形成されているパネル端部納め用部材。
【請求項４】
請求項１〜３のいずれか１項に記載のパネル端部納め用部材を用いたパネル端部納まり構造であって、
上記建築用パネルの端部は、上記パネル端部納め用部材のパネル端部収納空間に収納されて保持されていることを特徴とするパネル端部納まり構造。
【発明の詳細な説明】
【技術分野】
【０００１】
本発明は、壁面や天井などへ取付固定される建築用パネルのパネル端部納め用部材およびパネル端部納まり構造に関するものである。
【背景技術】
【０００２】
近年、壁面や天井などへの建築用パネルの取付施工において、隣接する建築用パネル間に、目地部材と目地受け部材よりなる目地形成材を装着して目地を構成する手法が実施されている（例えば、特許文献１を参照）。この種の目地形成材によれば、目地部材を、下地材に固着した目地受け部材に嵌合、固定することで、目地部材のパネル側に突出した庇部と、目地受け部材のパネル側に突出した取付基板部との間には建築用パネルを収納、挟持するパネル端部収納空間が形成される。つまり、目地部材と目地受け部材とは、パネル間の目地を形成するための目地形成材であるとともに、建築用パネルの端部を収納させるパネル端部納め用部材でもある。
【０００３】
同特許文献には、建築物の外壁に取り付ける外装パネルに関するパネル端部納め用部材について記載されている。このパネル端部納め用部材は、目地部材と目地受け部材とよりなり、それらはともに薄板鋼板を板金加工して、相互に係止しやすく、かつ防水性を図った形状に形成されている。
【特許文献１】特開２００７−２６２７５２号公報
【発明の開示】
【発明が解決しようとする課題】
【０００４】
ところで、この種の目地部材と目地受け部材とよりなるパネル端部納め用部材は、建築用パネルを四辺の端部で固定するものであり、建築用パネルの裏面を壁等の下地材に接着するものの、パネル端部納め用部材の挟持力でもって、より強固に固定できるほうが好ましい。
【０００５】
上記特許文献のものでは、目地受け部材の取付基板部の端部には折返し片が形成され、中間位置には突起部が形成されているため、パネルを装着したときに、この折返し片や突起部には復帰弾性力が生じることが考えられるが、これらは防水目的のものであり、かつ目地受け部材が板金加工によるものであるため、強い弾性力でパネルを押し上げることは期待できないし、これらはパネルを取り付けた後に塑性変形するおそれもあり、パネルに対する押し上げ力が持続するとは限らない。よって、これらの弾性力が弱まってしまえば、パネルが沈み込んだり、パネル面の高さがパネル間で不均一になったりするおそれがある。
【０００６】
また、突起部が取付基板部の中間位置に形成されているため、目地カバー部材と目地受け部材とを嵌合した状態では、その突起がじゃまになるためパネルの装着がしにくいことが想定される。そもそも同文献のものは、外装パネルを取り付けてから目地カバー部材を装着することが記載されており、目地カバー部材と目地受け部材とを嵌合した状態でのパネル装着は、想定していない。
【０００７】
本発明は、このような事情を考慮して提案されたもので、その目的は、金属製のカバー部材と樹脂製の受け部材との組み合わせによって、パネル端部をより強固に挟持、固定できる、カバー部材と受け部材とよりなるパネル端部納め用部材およびパネル端部納まり構造を提供することにある。
【０００８】
また、カバー部材を受け部材に係合させた状態でも、建築用パネルを容易に装着できるパネル端部納め用部材およびパネル端部納まり構造を提供することも、本発明の目的に含まれる。
【課題を解決するための手段】
【０００９】
上記目的を達成するために、請求項１に記載のパネル端部納め用部材は、建築用パネルの端部に沿って配設され、下地材に固着される樹脂製の受け部材と、該受け部材に係合する脚部を備えた金属製のカバー部材とを組み合わせてなるパネル端部納め用部材において、カバー部材は建築用パネルの端部の上面を隠す庇部を備える一方、受け部材はカバー部材の脚部と係合する本体部と、該本体部の下端より、該本体部の幅方向外方に延びた、下地材に固着される取付基板部とを備えており、カバー部材の庇部と受け部材の取付基板部との間に、建築用パネルの端部を挟持して収納するパネル端部収納空間を有した構造とされ、取付基板部には、パネル端部収納空間側に突出する山型突起が屈曲形成されていることを特徴とする。
【００１０】
請求項２に記載のパネル端部納め用部材では、山型突起が取付基板部の開放端部に形成されている。
【００１１】
請求項３に記載のパネル端部納め用部材は、カバー部材と上記受け部材とは、建築用パネル間の目地形成材として配設される構成とされ、カバー部材の庇部および受け部材の取付基板部はそれぞれ、目地形成材の幅方向両側に形成されている。
【００１２】
請求項４に記載のパネル端部納まり構造は、請求項１〜３のいずれか１項に記載のパネル端部納め用部材を用いたパネル端部納まり構造であって、建築用パネルの端部がパネル端部納め用部材のパネル端部収納空間に収納されて保持されていることを特徴とする。
【発明の効果】
【００１３】
請求項１に記載のパネル端部納め用部材および請求項４に記載のパネル端部納まり構造によれば、受け部材の取付基板部に山型突起が屈曲形成されているので、カバー部材の庇部と受け部材の取付基板部との間のパネル端部収納空間に建築用パネルを収納したときには、山型突起が弾性変形し、その復帰弾性力が庇部と取付基板部との挟持力にあいまって、建築用パネルを強固に固定することができる。
【００１４】
また、樹脂製による山型突起は、板金加工のものにくらべると弾性を保持しやすいため、建築用パネルの強力な挟持を長期間保持でき、建築用パネルの沈み込みを防止できる。さらに、カバー部材は金属で成形されているため、樹脂製の受け部材と強固に結合でき、その結合力もあいまって、パネル端部をさらに強く固定できる。
【００１５】
また、山型突起による復帰弾性力が作用するため、パネル表面と庇部との間に隙間ができるおそれはなく、特に、山型突起が樹脂製の取付基板部を屈曲状に形成されているため、単なる膨出突部にくらべると弾性変形しやすく、建築用パネルの厚みにパネル間で誤差がある場合でも、山型突起の弾性変形度合いで厚み誤差を吸収でき、外観上、パネル面の高さが不均一となるおそれはほとんどない。
【００１６】
請求項２に記載のパネル端部納め用部材によれば、山型突起が受け部材の取付基板部の開放端部に形成されているため、パネル端部に近い箇所に形成されたものにくらべて、建築用パネルの収納作業のじゃまにはならず、パネル端部収納空間への収納、装着作業を楽に行える。
【００１７】
請求項３に記載のパネル端部納め用部材は、建築用パネル間の目地に対応した目地部材として構成され、幅方向両側で建築用パネルを挟持、固定する構造となっているが、目地受け部材の両側の取付基板部に山型突起が形成されているため、両側の建築用パネルを外観上均一な状態で固定することができる。
【発明を実施するための最良の形態】
【００１８】
以下に、本発明の実施の形態について、添付図面とともに説明する。
【００１９】
図１〜図５は、本発明のパネル端部納め用部材およびパネル端部納まり構造の一実施形態を説明するための図である。図５は、同パネル端部納め用部材を用いて形成された室内パネル（建築用パネルの集合体）の一例を示す概略斜視図であり、図１（ａ）には図５におけるＸ−Ｘ線のパネル端部納め用部材の概略縦断面図を示し、図１（ｂ）には図５におけるＹ−Ｙ線のパネル端部納め用部材の概略縦断面図を示している。また、図２（ａ）〜（ｃ）は、同パネル端部納め用部材を用いた建築用パネルの施工手順の一例を示すパネル端部納まり構造の概略縦断面図であり、図３（ａ）〜（ｃ）は、同パネル端部納め用部材を用いた建築用パネルの施工手順の他例を示すパネル端部納まり構造の概略縦断面図である。さらに、図４には図５におけるＺ−Ｚ線のパネル端部納め用部材の概略縦断面図を示している。
【００２０】
なお、図１〜図３では、パネル端部納め用部材として２種の目地形成材を示している。つまり、これらの図では、パネル端部納め用部材の構成部材であるカバー部材として目地部材を示し、パネル端部納め用部材の他の構成部材である受け部材として目地受け部材を示している。また、図１（ａ）、（ｂ）では、説明の都合上、目地形成材の幅方向の一方側にのみ建築用パネルを固定した状態を示している。
【００２１】
一方、図４ではパネル端部納め用部材として見切り形成材を示している。つまり、図４では、パネル端部納め用部材の構成部材であるカバー部材として見切り部材を示し、パネル端部納め用部材の他の構成部材である受け部材として見切り受け部材を示している。
【００２２】
まず、複数の建築用パネルによる室内パネルの施工状態について、図５を参照しながら説明する。
【００２３】
図５に示した室内パネル１は、室内の壁（下地材２）に形成した腰壁９の上方に複数の建築用パネル１０を格子状に配設し、隣接する建築用パネル１０、１０間に縦、横の目地部材２０、３０が装着されている。また、複数の建築用パネル１０、１０・・・よりなる室内パネル１の最外周には、外周部に配置された建築用パネル１０、１０・・・の端部を隠すとともに、建築用パネル１０を位置決め固定するための４つの見切り部材５０が配設されている。なお、見切り部材５０が直交する隅部にはコーナーキャップ７０が取り付けられている。
【００２４】
建築用パネル１０としては、種々のパネルが使用でき、例えば調湿パネル、吸音パネルなどの機能性パネルも使用してもよい。また、室内パネルを天井に施工してもよく、また外装用に施工してもよい。室内パネル１を構成する複数の建築用パネル１０として、本例では正方形状の複数の同一寸法のパネルを使用し、図５ではそれらを格子状に並べた室内パネル１を示している。よって、室内パネル１には、４枚の建築用パネルの隅部が隣接し合い、縦横の目地が交差する交差部３が表面に表われている。
【００２５】
本例で使用される、建築用パネル１０、１０間の目地部材は、水平方向のものとして複数の建築用パネル１０に沿って取り付けられる連通目地部材２０が使用され、垂直方向のものとして建築用パネル１０の一側辺（本例では縦辺）に対応させて、その一側辺と略同一の長さ寸法の側辺目地部材３０が使用される。なお、連通目地部材２０、側辺目地部材３０は縦横を逆に配設してもよい。
【００２６】
この連通目地部材２０は、後述する目地受け部材４０（図１を参照）とともに連通用の目地形成材５を構成し、側辺目地部材３０は目地受け部材４０とともに側辺用の目地形成材６を構成する。また、見切り部材５０は、後述する見切り受け部材６０（図４を参照）とともに見切り形成材７を構成する。
【００２７】
まず、連通用の目地形成材５と側辺用の目地形成材６について、詳細の構造について説明する。なお以下では、建築用パネル１０との関係で構造的に差異のない部分の説明については、連通用の目地形成材５と側辺用の目地形成材６とを共通的に「目地形成材」と記述し、連通目地部材２０と側辺目地部材３０とを共通的に「目地部材」と記述する。
【００２８】
これら連通目地部材２０、側辺目地部材３０はいずれも、アルミニウム等の金属の押出材よりなり、図１などに示すように、パネル面より突出する凸設部２１、３１と、その下方に延びた本体部２２、３２と、さらに下方に延びた脚部２３、３３とより構成され、いずれの凸設部２１、３１も、幅方向両側外方に延びる庇部２１ａ、２１ａ、３１ａ、２１ａを有しており、上面２０ａ、３０ａがアール状などの湾曲凸面に形成されている。
【００２９】
また、これら連通目地部材２０、側辺目地部材３０はいずれも、図１に示すように、室内パネル１が施工された状態では、それぞれに対応して下地材２に固着させた目地受け部材４０に嵌合、固定されている。なお、目地受け部材４０は、連通目地部材２０、側辺目地部材３０のそれぞれに対応して設けるものであるため、固着する縦、横の方向および長さは異なるが、添付図面では説明の都合上、同一の符号を付している。
【００３０】
この目地受け部材４０は、合成樹脂の押出材よりなり、下地材２（本例においては壁）に固着され、連通目地部材２０、側辺目地部材３０の各脚部２３、３３が挿嵌される嵌合凹所４３を形成した一対の起立嵌合片４２、４２を有した本体部４１と、その本体部４１の下端から幅方向外方に延びる一対の取付基板部４４、４４とを備えている。この目地受け部材４０は、下地材２に対して接着されるとともに、取付基板部４４を下地材２にタッカー止めすることで固定されている。
【００３１】
そして、この目地受け部材４０の一対の取付基板部４４、４４のそれぞれの開放端部には、上方に形成されたパネル端部収納空間５ａ側へ突出した山型突起４４ａ、４４ａが屈曲形成されている。
【００３２】
この山型突起４４ａ、４４ａは、目地受け部材４０を取り付けた状態では、図１（ａ）、（ｂ）の右側に示した取付基板部４４のように上方に突出した山型形状となっており、押出成形によって屈曲形成されたものであるため、外力が加わらない限りはこの山型形状を保持しているが、上方からの圧力が加わると弾性変形して扁平な状態となり、上方への反発力が発生する。
【００３３】
連通目地部材２０は、この目地受け部材４０とともに連通用の目地形成材５を構成している。室内パネル１が施工された状態では、連通目地部材２０が目地受け部材４０と嵌合、固定されて、連通目地部材２０の庇部２１ａと、目地受け部材４０の取付基板部４４との間に形成されたパネル端部収納空間５ａによって建築用パネル１０の端部１１を挟持、固定している。その状態では、取付基板部４４の山型突起４４ａは、建築用パネル１０による押圧力によって弾性変形し、建築用パネル１０を収納していない状態にくらべると、平板に近い扁平状態となっている（図１（ａ）の左右を比較参照）。
【００３４】
一方、側辺目地部材３０は、目地受け部材４０とともに側辺用の目地形成材６を構成している。連通目地部材２０の場合と同様に、室内パネル１が施工された状態では、側辺目地部材３０が目地受け部材４０に嵌合、固定されて、側辺目地部材３０の庇部３１ａと目地受け部材４０の取付基板部４４との間に形成されたパネル端部収納空間６ａによって建築用パネル１０の端部１１を挟持、固定している。連通目地部材２０の場合と同様に、その状態では、取付基板部４４の山型突起４４ａは、建築用パネル１０による押圧力によって弾性変形し、建築用パネル１０を収納していない状態にくらべると、扁平状態となっている（図１（ｂ）の左右を比較参照）。
【００３５】
このように、取付基板部４４の山型突起４４ａを弾性変形させて建築用パネル１０を収納させるパネル端部納まり構造であるため、その復帰弾性力が、連通目地部材２０の庇部２１ａ（または側辺目地部材３０の庇部３１ａ）と取付基板部４４との挟持力にあいまって、建築用パネル１０を強固に固定することができる。また、連通目地部材２０と側辺目地部材３０とを金属で成形し、目地受け部材４０を樹脂で成形しているため、両者は強固に結合でき、その結合力もあいまって、建築用パネル１０の端部１１をいちだんと強く固定できる。さらに、山型突起４４ａは、樹脂押出材であるため板金加工の金属板にくらべて弾性を保持しやすく、山型突起４４ａ、４４ａによる押し上げ力でもって、建築用パネル１０の強力な挟持を長期間保持でき、建築用パネル１０の沈み込みを防止できる。
【００３６】
また、山型突起４４ａによる復帰弾性力が作用するため、パネル表面と庇部２１ａ、３１ａとの間に隙間ができるおそれはなく、特に、山型突起４４ａが取付基板部４４を屈曲して形成されているため、単なる膨出突部にくらべると弾性変形しやすく、建築用パネル１０の厚みにパネル間で誤差がある場合でも、山型突起４４ａの弾性変形度合いで厚み誤差を吸収でき、外観上、パネル面の高さが不均一となるおそれはほとんどない。
【００３７】
このように、建築用パネル１０は、すくなくとも一側辺の端部１１が、連通用の目地形成材５のパネル端部収納空間５ａに収納され、その一側辺に隣接する側辺の端部１１が、側辺用の目地形成材６のパネル端部収納空間６ａに収納され、固定されている。なお、図５に示した室内パネル１の内側に配設された建築用パネル１０については、四辺のうち対向する二辺ずつが、連通用の目地形成材５のパネル端部収納空間５ａと、側辺用の目地形成材６のパネル端部収納空間６ａとに収納されている。一方、外周の建築用パネル１０については、一部の側辺の端部１１が見切り形成材７によっても収納、固定されているが、見切り形成材７の詳細な構造については図４で後述する。
【００３８】
つぎに、目地部材２０、３０および目地受け部材４０の詳細な構造と、それらの係合構造について、図１を参照しながら説明する。
【００３９】
連通目地部材２０は、その幅方向の両側に配設された建築用パネル１０側に突出する庇部２１ａ、２１ａを備えた凸設部２０と、建築用パネル１０、１０間の隙間に装着される本体部２２と、その本体部２２の下端より下方に延び、上下２段の上部凸条片２３ａ、下部凸条片２３ｂが両側に形成された脚部２３とより構成される。目地部材３０も同様に凸設部３１と本体部３２と脚部３３とより構成されるが、交差部３で段差が生じないように、凸設部３１の高さ寸法が連通目地部材２０よりも小さい。また、両目地部材２０、３０の脚部２３、３３の寸法、形状、上部凸条片２３ａ、３３ａ、下部凸条片２３ｂ、３３ｂ形状、突出寸法および上部凸条片２３ａ、３３ａと下部凸条片２３ｂ、３３ｂ間の間隔は、両目地部材２０、３０間で同一とされる。
【００４０】
目地受け部材４０の本体部４１を構成する一対の起立嵌合片４２、４２には、嵌合凹所４３を挟んで対向するように、それぞれに上下２段の上部挟持凸条片４２ａ、下部挟持凸条片４２ｂが形成されている。上部挟持凸条片４２ａは目地部材２０、３０の脚部２３、３３に形成された上部凸条片２３ａ、３３ａに係合するとともに、脚部２３、３３の上部を挟持し、一方、下部挟持凸条片４２ｂは目地部材２０、３０の脚部２３、３３の下部凸条片２３ｂ、３３ｂよりも下側部分を挟持するようにして、目地部材２０、３０を固定する機能を有している。
【００４１】
また、本体部４１を構成する一対の起立嵌合片４２、４２のそれぞれの外側には、目地部材２０、３０の脚部２３、３３を嵌合凹所４３に嵌め入れたときに、一対の起立嵌合片４２、４２が外側へ弾性的に撓むことを考慮して、逃げ部４５、４５が形成されている。そのため、建築用パネル１０を配設した後に目地部材２０、３０を目地受け部材４０に嵌合する場合でも、建築用パネル１０の端部１１がじゃまにならない。
【００４２】
建築用パネル１０は、その端部１１が、目地部材２０、３０の庇部２１ａ、３１ａと目地受け部材４０の取付基板部４４との間のパネル端部収納空間５ａ、６ａに収納されて、その端部１１の端部面１１ａが目地部材２０、３０の本体部２２、３２の側面、および目地受け部材４０の本体部４１（一対の起立嵌合片４２、４２）の下部の側面（起立嵌合片４２、４２の外側面）に当接して、建築用パネル１０の裏面が下地材２に接着されて配設、固定されている。
【００４３】
このように、目地部材２０、３０を下地材２に固着した目地受け部材４０で嵌合させて目地を構成しているため、目地部材２０、３０の取付位置が定まり、取付作業が容易に行え、外観納まりもより良好となる。また、脚部２３、３３を目地受け部材４０、４０に嵌合させる構造であるため、強固に固定できる。
【００４４】
ついで、図２を参照しながら、建築用パネル１０の施工手順を説明する。なお、本図では、建築用パネル１０と連通目地部材２０との関係を示しており、建築用パネル１０と側辺目地部材２０との関係については、図示を省略している。
【００４５】
まず、図２（ａ）に示すように、連通目地部材２０の脚部２３を、下地材２に固着させた目地受け部材４０の嵌合凹所４３に挿嵌して、連通目地部材２０と目地受け部材４０を結合する。
【００４６】
ついで、図２（ｂ）に示すように、建築用パネル１０の端部１１を、連通目地部材２０と目地受け部材４０とを嵌合して形成されたパネル端部収納空間５ａに圧入してゆく。目地受け部材４０の山型突起４４ａは、取付基板部４４の開放端部に形成されているので、建築用パネル１０の収納作業にはじゃまにならないが、装着しやすくするために、建築用パネル１０を傾斜させて差し入れてもよい（図２（ｂ）の右側部分を参照）。なお、山型突起４４ａは屈曲形成されているため膨出突部にくらべて弾性変形しやすいから、建築用パネル１０で押さえながら収納するようにしてもよい。
【００４７】
こうして、建築用パネル１０をパネル端部収納空間５ａに圧入して収納すると、図２（ｃ）に示すように、目地受け部材４０の取付基板部４４の山型突起４４ａは、連通目地部材２０の庇部２１ａと取付基板部４４との挟持によって弾性変形して平板に近い状態となり、山型突起４４ａの復帰弾性力によって建築用パネル１０は強固に保持される。
【００４８】
さらに、図３を参照しながら、建築用パネル１０の施工手順の他例を説明する。なお、本図においても、建築用パネル１０と連通目地部材２０との関係を示している。
【００４９】
まず、下地材２に固着させた目地受け部材４０の嵌合凹所４３に、連通目地部材２０の脚部２３の下部凸条片２３ｂまでを挿入させて、上部凸条片２３ａ、下部凸条片２３ｂ間に目地受け部材４０の起立嵌合片４２に形成した上部挟持凸条片４２ａが配置された状態に仮止めしておく。
【００５０】
ついで、建築用パネル１０の端部１１を、連通目地部材２０と目地受け部材４０とを仮止め嵌合して形成されたパネル端部収納空間５ａに挿入し、建築用パネル１０の端部１１の端部面１１ａを連通目地部材２０および目地受け部材４０の側面に当接させる。
【００５１】
こうして目地の両側に建築用パネル１０、１０を収納させた後、連通目地部材２０の凸設部２１を押し下げると、連通目地部材２０の脚部２３の上部凸条片２３ａが目地受け部材４０の嵌合凹所４３に入り込んで、連通目地部材２０は目地受け部材４０に係合されるとともに、押し下げた連通目地部材２０による建築用パネル１０への押圧によって、目地受け部材４０の取付基板部４４は押圧されて山型突起４４ａが弾性変形し、連通目地部材２０の庇部２１ａと、目地受け部材４０の取付基板部４４とで建築用パネル１０の端部１１が挟持された状態となる。
【００５２】
このような目地形成材６の仮止めによる施工は、山型突起４４ａが高く、建築用パネル１０の装着のじゃまになる場合に好適に使用できる。
【００５３】
つぎに、見切り形成材７の構造について、図４を参照しながら説明する。
【００５４】
見切り形成材７は、見切り部材５０と見切り受け部材６０とよりなり、両部材５０、６０は、以下に説明するような嵌合構造によって結合されている。
【００５５】
見切り受け部材６０は、合成樹脂の押出材よりなり、見切り部材５０と嵌合するための一対の起立嵌合片６２、６２を有した本体部６１と、本体部６１の下端より幅方向両側に延びた一対の取付基板部６４、６４とを備えている。本体部６１には、一対の起立嵌合片６２、６２に挟まれた嵌合凹所６３が形成されおり、建築用パネル１０側の起立嵌合片６２の上端からは、建築用パネル１０側に突出する突出片６５が形成されている。また、一対の起立嵌合片６２、６２には、嵌合凹所６３を挟んで対向するように、それぞれに挟持凸条片６２ａ、６２ａが形成されている。
【００５６】
一方、見切り部材５０は、アルミニウム等の金属の押出材よりなり、見切り受け部材６０の上面を覆う平板状の凸設部５１と、下地材２に対して起立した状態に保持される本体部５２と、本体部５２の下端よりやや上側から建築用パネル側に水平に延びる押圧片５３とを備えている。また、凸設部５１は、建築用パネル１０側に延びる庇部５１ａを備えるとともに、凸設部５１の裏面から下方に延びる嵌合片５１ｂを備えている。この嵌合片５１ｂには、見切り受け部材６０と係合するための一対の係合突起５１ｃ、５１ｃが形成されている。
【００５７】
見切り受け部材６０は下地材２に対して接着剤、タッカー等で固着されており、その状態で、見切り部材５０の嵌合片５１ｂを、挟持凸条片６２ａ、６２ａ間を押し広げるように嵌合凹所６３に嵌入することで、見切り部材５０と見切り受け部材６０とが結合する。このとき、見切り部材５０の押圧片５３が見切り受け部材６０の取付基板部６４を押圧するため、見切り部材５０と見切り受け部材６０とはさらに結合力を増す。
【００５８】
建築用パネル１０は、見切り受け部材６０の突出片６５と取付基板部６４とに挟まれたパネル端部収納空間７ａに収納され、突出片６５の押さえ部６５ａと取付基板部６４とによって挟持されるとともに、突出片６５の上方からは、見切り部材５０の庇部５１ａによっても押圧され、さらに取付基板部６４の開放端部に形成された山型突起６４ａの復帰弾性力によって下方からも押圧される。
【００５９】
このように、室内パネル１の見切り部分においても、見切り受け部材６０に形成した山型突起６４ａの復帰弾性力が見切り部材５０の庇部５１ａ（または見切り受け部材６０の突出片６５）と、見切り受け部材６０の取付基板部６４との挟持力にあいまって、建築用パネル１０を強固に固定することができる。
【００６０】
なお、見切り部材５０は金属製であるため、庇部５１ａは見切り受け部材６０の突出片６５よりも硬質で、建築用パネル１０を強固に押圧できるため、見切り受け部材６０に突出片６５を設けずに、上述した連通用、側辺用の目地形成材５、６（図１〜図３を参照）と同様に、庇部５１ａと見切り受け部材６０の取付基板部６４との間に直接、建築用パネル１０を装着するような構造としてもよい。
【００６１】
以上のように、本実施形態に示した室内パネル１（図５を参照）における全ての建築用パネル１０は、その四辺の端部が全て、山型突起４４ａ、６４ａを有した受け部材（目地受け部材４０または見切り受け部材６０）と、カバー部材（目地部材２０、３０または見切り部材５０）とからなるパネル端部納め用部材（目地形成材５、６または見切り形成材）によって、確実に、強固に挟持、固定されている。
【００６２】
なお、以上に示した実施形態では、山型突起４４ａ、６４ａを、受け部材（目地受け部材４０または見切り受け部材６０）の取付基板部４４、６４の開放端部に形成したものを示したが、これには限られず、本体部４１、６１に近い位置などに形成したものでもよい。
【図面の簡単な説明】
【００６３】
【図１】本発明のパネル端部納め用部材の概略縦断面図で、パネル端部納め用部材として、（ａ）では図４のＸ−Ｘ線に対応した連通用の目地形成材を示し、（ｂ）では図４のＹ−Ｙ線に対応した側辺用の目地形成材を示している。
【図２】（ａ）、（ｂ）、（ｃ）は、本発明のパネル端部納め用部材を用いた建築用パネルの施工手順の一例を示すパネル端部納まり構造の概略縦断面図である。
【図３】（ａ）、（ｂ）、（ｃ）は、本発明のパネル端部納め用部材を用いた建築用パネルの施工手順の他例を示すパネル端部納まり構造の概略縦断面図である。
【図４】本発明のパネル端部納め用部材の概略縦断面図で、パネル端部納め用部材として、図４のＺ−Ｚ線に対応した見切り形成材を示している。
【図５】本発明の実施形態に係るパネル端部納め用部材を用いた建築用パネルの施工状態の一例を示す概略斜視図である。
【符号の説明】
【００６４】
１      室内パネル
２      下地材
５      連通用の目地形成材（パネル端部納め用部材）
５ａ      パネル端部収納空間
６      側辺用の目地形成材（パネル端部納め用部材）
６ａ      パネル端部収納空間
７      見切り形成材（パネル端部納め用部材）
７ａ      パネル端部収納空間
７      見切り形成材
７ａ      パネル端部収納空間
１０      建築用パネル
１１      端部
２０      連通目地部材（カバー部材）
２１      凸設部
２１ａ      庇部
２２      本体部
２３      脚部
２３ａ      上部凸条片
２３ｂ      下部凸条片
３０      側辺目地部材（カバー部材）
３１      凸設部
３１ａ      庇部
３２      本体部
３３      脚部
３３ａ      上部凸条片
３３ｂ      下部凸条片
４０      目地受け部材（受け部材）
４１      本体部
４２      起立嵌合片
４２ａ      上部挟持凸条片
４２ｂ      下部挟持凸条片
４３      嵌合凹所
４４      取付基板部
４４ａ      山型突起
５０      見切り部材（カバー部材）
５１      凸設部
５１ａ      庇部
５２      本体部
５３      押圧片
６０      見切り受け部材（受け部材）
６１      本体部
６２      起立嵌合片
６２ａ      挟持凸条片
６３      嵌合凹所
６４      取付基板部
６４ａ      山型突起
６５      突出片
【図１】
2010121421.tif 000003
【図２】
2010121421.tif 000004
【図３】
2010121421.tif 000005
【図４】
2010121421.tif 000006
【図５】
2010121421.tif 000007